(57)【要約】【課題】容量を低減することなく容器本体の占有体積を小さくすると共に、容器の外壁に衝撃が加わった場合でも凹むことがない保温容器を提供する。【解決手段】ステンレス製の容器本体２と、該容器本体２の開口部６を開閉自在に施蓋する蓋体３とから成り、容器本体２を外壁４と内壁５から成る内外二重壁とすると共に、外壁４と内壁５の間の空洞部を略真空状態に密閉した断熱構造の保温容器において、容器本体２を略矩形筒状に形成すると共に、外壁４の周回方向に向かって延設した複数のリブ８を容器本体２の上下に並設した構成である。【選択図】図１
2007236593.tif 000002
【特許請求の範囲】
【請求項１】
ステンレス製の容器本体(2)と、該容器本体(2)の開口部(6)を開閉自在に施蓋する蓋体(3)とから成り、容器本体(2)を外壁(4)と内壁(5)から成る内外二重壁とすると共に、外壁(4)と内壁(5)の間の空洞部(7)を略真空状態に密閉した断熱構造の保温容器において、
前記容器本体(2)は略矩形筒状に形成すると共に、外壁(4)の周回方向に向かって延設した複数のリブ(8)を上下に並設したことを特徴とする保温容器。
【請求項２】
前記リブ(8)は外壁(4)を構成するステンレス板を内側から外側に向けて断面弧状に膨出するように変形せしめることにより形成されて成ることを特徴とする請求項１記載の保温容器。
【発明の詳細な説明】
【技術分野】
【０００１】
本発明は、米飯等の飲食物を保温状態で収容する保温容器に関し、特にステンレス製の容器本体を外壁と内壁から成る内外二重壁とし、その外壁と内壁の間の空洞部を真空状態とした断熱構造の保温容器に関する。
【背景技術】
【０００２】
従来、飯容器と菜容器を取出自在にケースに収納する弁当箱が提供されている（例えば、特許文献１）。このような弁当箱の飯容器は一般に円筒状に形成されており、ステンレス製の内外二重壁から成る真空断熱保温容器を構成しているので、炊きたての米飯を長時間保温しておくことができる。
【０００３】
【特許文献１】特開２００２−３６０３２７号公報
【発明の開示】
【発明が解決しようとする課題】
【０００４】
ところが飯容器等の保温容器は円筒状に形成すると、米飯等を収容する内容量に比して、容器をケースや鞄に収納して携帯する際、或いは家庭で保管しておく際の占有体積が大きくなる。何故なら、円筒体の場合、容器を収納又は保管しておくためのスペースは幅方向及び奥行方向の双方に円筒体の直径寸法が必要となるため、その占有体積と内容量との差が大きいからである。そこで米飯の容量を減少させることなく、保温容器の占有体積を小さくするには、保温容器を矩形筒状に形成することが望まれる。
【０００５】
しかし、ステンレス製の内外二重壁から成る真空断熱保温容器は矩形筒状の形態とすると、例えば床面に落下するなど、外壁の平坦部に外部から衝撃が加わった場合に外壁が容器内側に凹み易くなる。この現象は、外壁と内壁の間の空洞部が真空状態であること、及び、外壁の平坦部に作用する衝撃力を外壁の他の部分に逃がすことができない構造であることに起因する。そして内外二重壁の保温容器の外壁が容器内側に陥没すると外壁と内壁が接触して断熱効果を著しく低減し、米飯等の保温性能を低下させるという問題が生じる。
【０００６】
この問題は、保温容器を矩形筒状とした場合の特有の問題であり、円筒状の保温容器の場合には外壁に作用する衝撃力を円筒状外壁の周囲に分散させることができるので凹みが生じにくく、問題となることはない。
【０００７】
本発明は、上記問題点を解決することを目的としてなされたものであり、容器本体を略矩形筒状に形成して米飯等の飲食物の容量を低減することなく容器自体の占有体積を小さくすると共に、外壁を補強して衝撃が加わった場合でも凹むことがない保温容器を提供する。
【課題を解決するための手段】
【０００８】
上記目的を達成するため、本発明が解決手段として採用したところは、ステンレス製の容器本体(2)と、該容器本体(2)の開口部(6)を開閉自在に施蓋する蓋体(3)とから成り、容器本体(2)を外壁(4)と内壁(5)から成る内外二重壁とすると共に、外壁(4)と内壁(5)の間の空洞部(7)を略真空状態に密閉した断熱構造の保温容器において、前記容器本体(2)を略矩形筒状に形成すると共に、外壁(4)の周回方向に向かって延設した複数のリブ(8)を上下に並設した構成にある。
【０００９】
また上記構成においてより好ましくは、複数のリブ(8)を、外壁(4)を構成するステンレス板を内側から外側に向けて断面弧状に膨出するように変形せしめることにより形成することである。
【発明の効果】
【００１０】
本発明に係る保温容器によれば、容器本体が略矩形筒状であるので、円筒状の容器に比べて、米飯等の飲食物の容量を低減することなく容器本体を小型化でき、しかも外壁に設けた複数のリブが略矩形筒状の外壁を全体的に補強するので、ほぼ平坦な外壁面に外部から衝撃が加わった場合でも凹むことがなく、外壁と内壁の間の空洞部を良好に維持することができる。
【００１１】
また外壁を構成するステンレス板を内側から外側に向けて断面弧状に膨出するように変形せしめることによって、上記リブを形成すれば、外壁に対してリブを一体構造物として形成できるので、容器本体の外壁が洗浄し易くなり、衛生的にも優れた保温容器が実現できる。
【発明を実施するための最良の形態】
【００１２】
以下図面に基づいて本発明の好ましい実施形態を詳述する。図１及び図２は本実施形態における保温容器１を示す図であり、図１はその斜視図、図２はその縦断面図である。保温容器１は、ステンレス製の容器本体２と、その容器本体２の開口部６を開閉自在に施蓋する蓋体３とから構成されている。
【００１３】
容器本体２は平面視略矩形の角筒状であり、外壁４と内壁５から成る内外二重壁として形成される。外壁４と内壁５は容器本体２の開口部６の周りに沿って互いに溶着されており、開口部６を除く内壁５の壁部５ａ及び底部５ｂが外壁４の内面と非接触に保持され、外壁４と内壁５の間に一定の空洞部７を形成する。
【００１４】
外壁４は壁部４ａと底部４ｂから成り、壁部４ａの表面には筒状形態の周回方向に向かって延設した複数のリブ８が容器本体２の上下方向にほぼ等間隔で並設されている。該リブ８は、外壁４を構成するステンレス板自体をプレス形成により内側から外側に向けて断面弧状に変形させることにより形成されている。一方、内壁５は、このようなリブを有しない平滑面を構成する。
【００１５】
外壁４の底部４ｂの中央には空洞部７を減圧するためのエア抜き口９が設けられ、該エア抜き口９を介して空洞部７の真空形成が行われる。そして空洞部７を一定の真空状態とした後には、エア抜き口９を溶着封止して、空洞部７をほぼ真空状態に密閉する。このため容器本体２は真空二重壁による断熱構造の保温容器として実現される。尚、図２ではエア抜き口９を封止した状態を示している。また外壁４の底部４ｂには封止したエア抜き口９を隠蔽するための底部材１０が設けられる。
【００１６】
蓋体３は容器本体２と同様に平面視略矩形に形成され、中央の厚底部分１１が容器本体２の内壁５の内側に嵌ると共に上端周縁部１２が容器本体２の開口部６を塞ぐことにより、容器本体２の内側を密閉する。また蓋体３の厚底部分１１の内部には発泡スチロール等の断熱材１３を設けており、容器本体２の開口部６に施蓋したとき、容器本体２の内部を断熱保温する。
【００１７】
上記構成の保温容器１によれば、米飯等の飲食物は容器本体２の内壁５の内側に入れられ、蓋体３で施蓋することにより、飲食物を長時間保温状態で保持する。そして容器本体２は略矩形の角筒状に形成しているので、飲食物を収容するための内容量と、容器を携帯若しくは保管しておく際の占有体積の差が小さくなり、図３に示すように円筒状の容器２ａと比較すれば、米飯等の飲食物を収容する内容量を低減することなく、容器本体２を小型化でき、携帯時や保管時の占有体積を小さくできる。また逆に言えば、円筒状の容器２ａと同程度の占有体積として実現し、容器本体２を大容量化することも可能である。
【００１８】
また容器本体２の壁部４ａの表面にほぼ等間隔で設けた複数のリブ８は、矩形筒状の壁部４ａに周回して形成されており、これにより容器本体２の外壁４を全体的に補強するので、ほぼ平坦な壁部４ａに衝撃が加わった場合でも外壁４の表面が容器内側に陥没して凹みが生じることを防止する。この点に関して、略矩形筒状に形成した容器本体の外壁を補強するためには、例えば、図４（Ａ）に示す比較例のように、容器本体２ｂの外壁４ｃに上下方向に延びる縦リブ８ｂを形成すれば良いと考えられる。しかしながら、この場合、容器本体２ｂは、真空二重壁を形成する外壁４ｃと内壁５ｃを上部の開口縁に沿って溶着する必要があるため、縦リブ８ｂは該開口縁に口部ｅを残して、該口部ｅの下方位置から底部近傍まで延びるように形成せざるを得ない。そこで、外壁４ｃが衝撃等の外力を受けたとき、前記口部ｅの部分で外壁４ｃが内側に変形容易であるから、図４（Ｂ）に示すように縦リブ８ｂを含んで外壁４ｃが凹陥するという問題を含んでいる。これに対して、本発明によれば、周方向のリブ８を外壁４の全周にわたり形成しているので、該リブ８が外壁４の全周を拘束する節を構成し、内側に変形することはないので、衝撃等の外力を受けたときでも凹陥しないという利点がある。更に複数のリブ８は容器本体２の外壁４を保持した際の滑り止めとしても機能し、滑りやすいステンレス製の容器本体２が取扱い易くなる。
【００１９】
これら複数のリブ８は、外壁４の周りをリング状に形成しても良いし、螺旋状に形成しても良い。また複数のリブ８は、外壁４とは別部材のリング状補強部材又は螺旋状補強部材とし、それらを外壁４の表面に溶着することなどによって形成しても良いが、保温容器１の衛生面を考慮すれば、上述したように外壁４を構成するステンレス板自体をプレス成形することにより外壁４の表面を円弧状に隆起させて形成した一体構成物とすることが好ましい。この場合、リブ８を設けた外壁４が洗浄し易くなり、衛生面が向上する。
【００２０】
したがって、本実施形態の保温容器１は、容器本体２を略矩形筒状に形成して米飯等の飲食物の容量を低減することなく容器自体を小型化できると共に、外壁４の周回方向に向かう複数のリブ８を容器本体２の上下方向に並設することにより外壁４を補強してあるので、保温容器１を床面に落下させた場合等の衝撃が加わっても外壁４が凹むことがなく、外壁４と内壁５の接触を防止して断熱効果を良好に維持することができる。
【００２１】
尚、上述の構成は、弁当箱用の飯容器に適用可能であることは勿論であるが、水筒やその他の保温容器にも十分に適用し得る構成である。
【図面の簡単な説明】
【００２２】
【図１】本発明の一実施形態としての保温容器を示す斜視図である。
【図２】保温容器の縦断面図である。
【図３】円筒容器と矩形筒状容器の容量差を示す説明図であり、各容器を重ね合わせた平面図を概念的に示している。
【図４】比較例を示しており、（Ａ）は縦リブを設けた容器を示す縦断面図、（Ｂ）は縦リブを含んで外壁が凹陥した状態を示す縦断面図である。
【符号の説明】
【００２３】
１  保温容器
２  容器本体
３  蓋体
４  外壁
５  内壁
６  開口部
７  空洞部
８  リブ
【図１】
2007236593.tif 000003
【図２】
2007236593.tif 000004
【図３】
2007236593.tif 000005
【図４】
2007236593.tif 000006